(57)【要約】【課題】変調信号をＦＭでも兼用できるＡＧＣ回路を提供する。【解決手段】  ＡＭ信号とＦＭ信号を入力してピーク電圧を検出するピーク検出回路と、ピーク検出回路の出力信号を平滑するローパスフィルタ回路と、ローパスフィルタ回路の出力信号レベルと、予め設定した基準電圧とを比較して、比較した結果に基づいて差信号を生成する比較回路と、を具備する半導体集積回路に設けたＡＧＣ回路である。【選択図】図１
2007259019.tif 000002
【特許請求の範囲】
【請求項１】
変調信号を入力してピーク電圧を検出するピーク検出回路と、
前記ピーク検出回路の出力信号を平滑するローパスフィルタ回路と、
前記ローパスフィルタ回路の出力信号レベルと、予め設定した基準電圧とを比較して、前記比較した結果に基づいて差信号を生成する比較回路と、
を具備することを特徴とする半導体集積回路に設けたＡＧＣ回路。
【請求項２】
前記比較回路は差動増幅器であることを特徴とする請求項１に記載の半導体集積回路に設けたＡＧＣ回路。
【請求項３】
前記比較回路の後段に積分回路を設けて前記差信号を平均化することを特徴とする請求項１に記載の半導体集積回路に設けたＡＧＣ回路。
【発明の詳細な説明】
【技術分野】
【０００１】
本発明は、半導体集積回路に構成するＡＧＣ回路の技術に関する。
【背景技術】
【０００２】
従来、半導体集積回路に構成されるＡＧＣ回路は、ＡＭ信号やＦＭ信号を受信する際に、別々にＡＭ用、ＦＭ用のＡＧＣ回路を設けなければならない。図２Ａに示した回路は、ＦＭ受信機で用いるＡＧＣ回路の構成である。同図Ａの回路は半波整流器２１、平滑回路（ＬＰＦ）２２、差動増幅器（比較回路：Comparator）２３、積分器（Integrator）２４、基準電圧源２５、から構成されている。例えば、ＦＭ信号源２６から入力されたＦＭ信号の波形を、同図Ｂ（１）インプット信号（Input）として示す。図２Ｂ、Ｄは縦軸に電圧レベル、横軸に時間（ｍｓｅｃ）で表した図である。インプット信号は半波整流器２１で半波整流され（２）半波整流に示す波形となる。その後ローパスフィルタ回路２２で鈍らせた（３）ＬＰＦ出力信号波形を得る（例えば平均化処理）。そのＬＰＦ出力信号波形と、予め設定した基準電圧源２５から供給される基準電圧（REF Voltage：ＤＣ電圧）信号とを差動増幅器２３などを用い（４）比較して差信号を出力する。その差信号を積分器２４に入力して平均化することで必要とする電圧値（ゲインコントロール電圧）を得ることができる。
【０００３】
また、同図ＣはＡＭ受信機で用いるＡＧＣ回路の構成を示している。ＡＭ信号源２８から入力されたＡＭ信号波形を同図Ｄ（１）インプット信号（Input）とする。インプット信号は半波整流器２１で半波整流され（２）半波整流に示す波形となる。その後ローパスフィルタ２２で鈍らせた（３）ＬＰＦ出力信号波形を得る。
【０００４】
しかしながら、ローパスフィルタ回路２２の出力信号波形は、ＦＭ受信機のＡＧＣ回路の（３）ＬＰＦ出力信号波形と電圧レベルが異なっている。そのためＡＭ用とＦＭ用のＬＰＦ出力信号波形を、同じ基準電圧源から基準電圧（REF Voltage）信号を供給することができない。つまり、ＦＭ受信機で使用した基準電圧信号を差動増幅器２３に入力して比較した結果で差信号を得た場合の差信号を積分器に入力して平均化することで得られる電圧値（ゲインコントロール電圧）と、ＡＭ受信機で得られるゲインコントロール電圧とは異なる。そのため、同じゲインコントロール電圧を得るためには、少なくとも基準電圧源２６（ＦＭ用）、２７（ＡＭ用）を２つ配設しなければならない。また、最悪の場合にはＡＭ用とＦＭ用のＡＧＣ回路が必要になり回路面積が２倍になるという問題がある。
【０００５】
特許文献１によれば、ＦＭ／ＡＭチューナＩＣを用いた受信回路において、ＡＧＣ用平滑コンデンサおよび同期検波用平滑コンデンサを別個に設ける必要がある。そのため、接続する端子も各々必要であった。また、１個のコンデンサをＡＧＣ用平滑動作と同期検波用平滑動作を兼用すると、ＡＭ／ＦＭモードの切換時に誤動作することがある。
【０００６】
そこで、ＦＭ受信部、ＡＭ受信部、ＡＭ用のＡＧＣ回路、ＦＭステレオ検出用の同期検波回路を備えたＦＭ／ＡＭ受信回路において、ＡＧＣ回路は検波信号レベルを反転した信号を形成する信号反転部と、この信号を平滑するＡＧＣ平滑部と、平滑した信号を再度反転してバイアス電圧を形成するバイアス電圧形成部とを備える。また、同期検波回路はＦＭステレオのパイロット信号を受信したとき、その検波信号を出力する回路と、この検波信号を平滑する同期検波平滑部とを設ける。かつ、ＡＧＣ平滑部と同期検波平滑部とを共通化する提案がされている。
【０００７】
しかしながら、ＡＭ信号とＦＭ信号を別々の全波整流回路で受信しているため切替えなどの回路が必要となる。
特許文献２によれば、移動体用で強入力妨害信号が存在する場合において、安定したＦＭ放送受信が可能なテレビジョン受信機が提案されている。そして、中間周波信号入力端子から入力され、増幅器で増幅しピーク検波器でピークレベルを検出し、比較回路で一定電圧と比較され、トランジスタをオンさせる。この一定電圧は所望の高周波入力レベルでＡＧＣがオンするように設定される。
【０００８】
しかしながら、特許文献２の構成はＦＭ信号のように周波数の変動が極端にない場合には有効であるが、ＡＭ信号のように振幅が必ず発生する場合には有効ではない。つまり、比較回路の出力が変動が激しいためＡＭとＦＭを兼用して利用できない。
【特許文献１】特開平６−１０４７８３号公報
【特許文献２】特開２００４−２８２４６４号公報
【発明の開示】
【発明が解決しようとする課題】
【０００９】
本発明は上記のような実情に鑑みてなされたものであり、異なる変調方式（例えばＡＭとＦＭ）でも兼用できる半導体集積回路に設けたＡＧＣ回路を提供することを目的とする。
【課題を解決するための手段】
【００１０】
本発明の態様のひとつである変調信号を入力してピーク電圧を検出するピーク検出回路と、上記ピーク検出回路の出力信号を平滑するローパスフィルタ回路と、上記ローパスフィルタ回路の出力信号レベルと、予め設定した基準電圧とを比較して、上記比較した結果に基づいて差信号を生成する比較回路と、を具備する構成とする。
【００１１】
好ましくは、上記比較回路は差動増幅器である構成であってもよい。
好ましくは、上記比較回路の後段に積分回路を設けて上記差信号を平均化する構成でもよい。
【００１２】
上記構成により変調方式の異なる信号を受信し、受信信号からピークを検出してゲインコントロールをすることができる。
【発明の効果】
【００１３】
本発明によれば、変調方式が異なっても（例えばＡＭとＦＭ）で検出レベルが変わらないＡＧＣ回路であるとともに、異なる変調方式でも基準電圧源を兼用できるので回路面積を削減できる。
【発明を実施するための最良の形態】
【００１４】
以下図面に基づいて、本発明の実施形態について詳細を説明する。
（実施例１）
図１Ａは本発明のＡＧＣ回路を示した図である。ＡＧＣ回路の構成は、ピーク検出回路１、ローパスフィルタ回路（ＬＰＦ）２、差動増幅器（比較回路：Comparator）３、積分器（Integrator）４、基準電圧源５、から構成されている。
【００１５】
ピーク検出回路１は、入力波形のピーク電圧を検出する回路である。本例ではＡＭとＦＭとを兼用する回路であるので、ピークを検出精度を５ｍＶRMSにしているが限定しない。なお、トランジスタのサイズによっても検出精度を変更して調整してもよい。
【００１６】
ローパスフィルタ回路２は、ピーク検出回路１の出力に対して略同じ出力になるようにする。本例ではＡＭの場合の出力、ＦＭの場合の出力からカットオフと減衰量を決めたフィルタを使用している。本例ではカットオフ周波数を１．５９Ｈｚ（抵抗値＝１００ｋΩ、容量値＝１μＦ）している。これに限定するものではないがＡＭ、ＦＭを兼用する場合に有効なカットオフ周波数である。なお、ピーク検出回路１の出力の精度はローパスフィルタ回路２のパラメータによって最適値を変更することが望ましい。
【００１７】
差動増幅器３は、基準電圧とローパスフィルタ回路２の出力を比較した差分に基づいて出力電圧信号を出力する。積分器４は、出力電圧信号を平均化してゲインコントロール電圧信号を出力する回路である。基準電圧源５はＤＣ電圧源である。
（動作説明）
例えば、ＡＭ信号源とＦＭ信号源から同じキャリアレベルのＡＭとＦＭ信号を入力する場合について考えてみる。図１Ｂ、Ｃは縦軸に電圧レベル、横軸に時間（ｍｓｅｃ）で表した図である。ＡＭ信号を受信した場合は、入力波形は図１Ｂ（１）インプット信号（Input）のようになる。次に、インプット信号を入力してピーク検出回路１で信号のピークを検出する。検出したピーク信号は（２）に示す波形となる。その後、ローパスフィルタ回路２で平滑すると（３）ＬＰＦ出力信号波形を得る。そのＬＰＦ出力信号波形と、予め設定した基準電圧源５から供給される基準電圧（REF Voltage：ＤＣ電圧）とを差動増幅器３などを用い（４）比較して差信号を出力する。その差信号を積分器４に入力して平均化することで必要とする電圧値（ゲインコントロール電圧）を得ることができる。
【００１８】
ＦＭ信号を受信した場合は、入力波形は図１Ｃ（１）のインプット信号（Input）を入力する。インプット信号はピーク検出回路１で信号のピークを検出する。検出したピーク信号は（２）に示す波形となる。しかし、ＦＭの場合はＡＭの場合と異なる。そのためローパスフィルタ回路２でピーク信号を平滑（３）する。ローパスフィルタ回路２の出力で得られたＬＰＦ出力信号波形はＡＭとＦＭとも略同じになる。つまり、入力した信号のキャリアレベルが同じであればＡＭ信号でもＦＭ信号であってもＬＰＦ出力信号波形は略同じレベルとなる。
【００１９】
そのため、基準電圧源５から供給する基準電圧（REF Voltage：ＤＣ電圧）信号は、異なる方式でも同じ電圧値でよくなる。
そして、ＬＰＦ出力信号波形を得た後は、差動増幅器３などを用い比較して差信号を出力する。その差信号を積分器４に入力して平均化することで必要とする電圧値（ゲインコントロール電圧）を得ることができる。
【００２０】
上記構成により異なる変調信号（例えばＡＭとＦＭ）で検出レベルが変わらないＡＧＣ回路であるとともに、基準電圧源を兼用できるので回路面積が縮小できる。
また、本発明は、上記実施の形態に限定されるものでなく、本発明の要旨を逸脱しない範囲内で種々の改良、変更が可能である。
【図面の簡単な説明】
【００２１】
【図１】ピーク検出回路を設けたＡＧＣ回路を示す図である。
【図２】従来のＡＧＣ回路を示す図である。
【符号の説明】
【００２２】
１…半波整流回路
２…ローパスフィルタ回路（ＬＰＦ）
３…差動増幅器（比較回路）
４…積分器
５…基準電圧源
６…ＡＭ／ＦＭ信号源
２１…ピーク検出回路
２２…ローパスフィルタ回路（ＬＰＦ）
２３…差動増幅器（比較回路）
２４…積分器
２５…基準電圧源
２６…ＦＭ信号源
２７…基準電圧源
２８…ＡＭ信号源
【図１】
2007259019.tif 000003
【図２】
2007259019.tif 000004